(57)【要約】【課題】臀部中央の縦溝形状、及び左右それぞれの臀部の丸みが外形として表れるようにし、臀部本来の美しさが発揮できるようにする。【解決手段】帯状の布をリング状に形成したベルト部と、ベルト部の前部と後部を股下を通るように帯状の布で連結した連結部からなるフレーム部を有する。フレーム部に対し、右半分の腰回りを被覆する右半体布地と、左半分の腰回りを被覆する左半体布地を縫い合わせてパンツ状のショーツに形成することで、前記課題を解決する。【選択図】      図３
0003153949.tif 000002
【実用新案登録請求の範囲】
【請求項１】
帯状の布をリング状に形成したベルト部と、該ベルト部の前部と後部を股下を通るように帯状の布で連結した連結部からなるフレーム部を有し、
該フレーム部に対し、正面から見て右半分の腰回りを被覆する右半体布地と、左半分の腰回りを被覆する左半体布地を縫い合わせてパンツ状に形成したことを特徴とする体形補正ショーツ。
【請求項２】
前記ベルト部、右半体布地及び左半体布地の前半分が高伸縮性布地、後ろ半分が低伸縮性布地で成る請求項１に記載の体形補正ショーツ。
【請求項３】
前記連結部の前半分が高伸縮性布地、後ろ半分が低伸縮性布地で成る請求項２に記載の体形補正ショーツ。
【請求項４】
前記ベルト部の表側にベルト通しを設け、ベルトを着脱自在とした請求項１〜３のいずれかに記載の体形補正ショーツ。
【考案の詳細な説明】
【技術分野】
【０００１】
本考案は、スカート、スラックス等の衣類の下に着用し臀部の形を整える体形補正ショーツに関する。
【背景技術】
【０００２】
従来の体形補正ショーツは、例えば下記特許文献１などに開示されている。
この種のショーツは、図８に示されるように、ショーツ３１の左右腰部から臀部の下部に亘って帯状のストレッチ部３２を設け、これにより臀部を上方かつ内方に押圧し、臀部の形を整えるものである。
【先行技術文献】
【特許文献】
【０００３】
【特許文献１】特開２００７−１９７８９７号公報
【考案の概要】
【考案が解決しようとする課題】
【０００４】
図８に示す従来のショーツ３１は、ストレッチ部３２によって臀部が上方に押圧され、ヒップアップとなるが、同時に左右の臀部が内方に押圧されるため、臀部中央の縦溝形状が消滅し、左右それぞれの臀部の丸みが外形に表れず、臀部本来の美しさが発揮されないという問題がある。
本考案は、臀部中央の縦溝形状、及び左右それぞれの臀部の丸みが外形として表れるようにし、臀部本来の美しさが発揮できるようにすることを課題とするものである。
【課題を解決するための手段】
【０００５】
〔請求項１〕
本考案は、帯状の布をリング状に形成したベルト部と、該ベルト部の前部と後部を股下を通るように帯状の布で連結した連結部からなるフレーム部を有し、該フレーム部に対し、正面から見て右半分の腰回りを被覆する右半体布地と、左半分の腰回りを被覆する左半体布地を縫い合わせてパンツ状に形成したことを特徴とする体形補正ショーツである。
【０００６】
フレーム部は、力士の回しに似たもので、その連結部の後ろ半分が臀部中央の縦溝に入り込むので、縦溝が外形に顕著に表れ、その結果左右それぞれの臀部の丸みが強調される。
したがって、左右それぞれの臀部の丸みが外形として顕著に表れ、臀部本来の美しさが発揮される。
右半体布地、左半体布地の後ろ半分部分は、理想的な臀部の丸みを有するカップ形状に立体形成しておくことが望ましい。これにより、左右それぞれの臀部の丸みが整形される。
【０００７】
〔請求項２〕
また本考案は、前記ベルト部、右半体布地及び左半体布地の前半分が高伸縮性布地、後ろ半分が低伸縮性布地で成る請求項１に記載の体形補正ショーツである。
【０００８】
ベルト部、右半体布地及び左半体布地の後ろ半分を伸縮性が少ない（ほとんど無い）ものとすることで、臀部の形状が整形され、左右それぞれの臀部の丸みが理想的な形状に近くなる。
ベルト部、右半体布地及び左半体布地の前半分を伸縮性の大きなものとすることで、着脱が容易となり、又サイズの適用の幅が拡がる。
【０００９】
本考案における高伸縮性布地、低伸縮性布地は、相対的に伸縮性が大きい又は小さい布地を意味する。
高伸縮性布地としては、例えばストレッチ加工したナイロン糸、ポリエステル糸などで織った布地を用いることができる。
低伸縮性布地としては、例えば通常の綿、ナイロン、ポリウレタン布地などを用いることができる。
【００１０】
〔請求項３〕
また本考案は、前記連結部の前半分が高伸縮性布地、後ろ半分が低伸縮性布地で成る請求項２に記載の体形補正ショーツである。
【００１１】
連結部は、全体を低伸縮性布地としても良いが、前半分を高伸縮性布地、後ろ半分を低伸縮性布地とすると着用感が向上すると共に、右半体布地及び左半体布地の前半分の伸縮を妨げることが無くなる。
【００１２】
〔請求項４〕
また本考案は、前記ベルト部の表側にベルト通しを設け、ベルトを着脱自在とした請求項１〜３のいずれかに記載の体形補正ショーツである。
【００１３】
ショーツを着用後、ベルト通しにベルトを挿通し、別途ベルトを装着することで、フレーム部のずり下がりが防止される。
【考案の効果】
【００１４】
本考案のショーツは、フレーム部の連結部の後ろ半分が臀部中央の縦溝に入り込むので、縦溝が外形に顕著に表れ、その結果左右それぞれの臀部の丸みが顕著に外形に表れるので、特にスラックスなどを着用したときに臀部本来の美しさが発揮される。
【図面の簡単な説明】
【００１５】
【図１】フレーム部の斜視図である。
【図２】フレーム部の平面図である。
【図３】ショーツ１の斜視図である。
【図４】実施例のショーツ１の右側面図である。
【図５】実施例のショーツ１１の右側面図である。
【図６】実施例のショーツ２１の右側面図である。
【図７】ベルト２４の説明図である。
【図８】従来例のショーツ３１の斜視図である。
【考案を実施するための形態】
【実施例】
【００１６】
図１〜４は実施例のショーツ１に関するものである。
ショーツ１は、フレーム部２、右半体布地、左半体布地から構成されている。
図１，２に示すように、フレーム部２は、帯状の布をリング状に形成したベルト部３と、ベルト部３の前部と後部を股下を通るように帯状の布で連結した連結部４を縫製一体化したものである。
【００１７】
ベルト部３は、高伸縮性布地でなる前半分３ａと低伸縮性布地でなる後ろ半分３ｂを縫い目ｓで縫い合わせている。縫い目ｓの位置は厳密である必要はなく、腰のほぼ左右横の位置にあればよい。
連結部４は、高伸縮性布地でなる前半分４ａと低伸縮性布地でなる後ろ半分４ｂを縫い目ｓで縫い合わせている。縫い目ｓの位置は厳密である必要はなく、ほぼ股下の位置にあればよい。
【００１８】
図３に示すように、フレーム部２に右半体布地５、左半体布地６を縫い合わせ、パンツ状に形成する。
フレーム部２と右半体布地５、左半体布地６の縫い合わせは、フレーム部の縁と右半体布地５、左半体布地６の縁を縫い合わせても良いし、フレーム部２の外面又は内面を右半体布地５又は左半体布地６が完全に覆うように縫い合わせても良い。
【００１９】
右半体布地５は、高伸縮性布地でなる前半分５ａと低伸縮性布地でなる後ろ半分５ｂを縫い目ｓで縫い合わせている。縫い目ｓの位置は厳密である必要はなく、腰のほぼ左右横の位置にあればよいが、ベルト部３の縫い目ｓと合わせることが望ましい。
左半体布地６も、同様に高伸縮性布地でなる前半分６ａと低伸縮性布地でなる後ろ半分６ｂを縫い目ｓで縫い合わせている。
【００２０】
右半体布地５、左半体布地６の後ろ半分５ｂ，６ｂは、図４に示すように、理想的な臀部の丸みを有するカップ形状に立体形成してある。
【００２１】
図５に示す実施例のショーツ１１は、前記のショーツ１と基本的に同じ構成であるが、ベルト部３の表側にベルト通し（ベルトループ）１２が設けられている点で異なる。
ショーツ１１を着用後、必要に応じてベルトを装着する。これにより、ショーツの刷り下がりが防止され、体形補正効果が高められる。
【００２２】
図６に示す実施例のショーツ２１は、図７に示す専用のベルト２４を使用するものである。
ショーツ２１のベルト部３の後ろ半分３ｂの前半分との縫い目付近にフック受け２３を設けている。図６は右側のみを示しているが、左側も同様である。ベルト部３の前半分３ａにはベルト通し２２を設けている。
【００２３】
図７のベルト２４は、両端にフック２５を有し、さらに長さ調整部２６を有している。
ショーツ２１を着用後、必要に応じて、ベルト２４をベルト通し２２に通し、両端のフック２５をフック受け２３に引っ掛けることで簡単にベルトを装着することができる。ベルトの取外しもフックを外せばよいので簡単である。
【００２４】
本考案のショーツは、地肌の上に直接着用して下着として使用できるほか、下着を着用した上に重ねて着用し、いわゆるカードルとして使用することもできる。
【符号の説明】
【００２５】
１  ショーツ
２  フレーム部
３  ベルト部
４  連結部
５  右半体布地
６  右半体布地
１１  ショーツ
１２  ベルト通し
２１  ショーツ
２２  ベルト通し
２３  フック受け
２４  ベルト
２５  フック
２６  長さ調整部
３１  ショーツ
３２  ストレッチ部
ｓ  縫い目
【図１】
0003153949.tif 000003
【図２】
0003153949.tif 000004
【図３】
0003153949.tif 000005
【図４】
0003153949.tif 000006
【図５】
0003153949.tif 000007
【図６】
0003153949.tif 000008
【図７】
0003153949.tif 000009
【図８】
0003153949.tif 000010